(57)【要約】【課題】本発明の課題は、出産時期を精度良く検知すること及び家畜小屋等の出産場所から離れた所（例えば事務所や居間など人が居る所）に出産予告を報知する方法及びその方法を使った装置の提供である。【解決手段】第一の手段は、スイッチやセンサや送信機からなる検出器を設けたことである。第二の手段は、前記検出器を産道に挿入して出産兆候の検知をするようにしたことである。第三の手段は、前記検出器の出産予告無線信号を受信して信号変換し、有線方式又は無線方式の音声や音の出力や表示灯からなる報知器およびパーソナルコンピュータや携帯電話を設けたことである。【選択図】図１
2005261686.tif 000002
【特許請求の範囲】
【請求項１】
出産の予定が近づいた家畜や動物の産道に、スイッチやセンサや無線信号の発信機からなる検出器を挿入しておいて、前記センサで破水の検知をした時や胎児の移動によって産道内で前記検出器のスイッチが押された時及び該検出器が出産に伴う圧力によって産道から体外に放出された時に前記発信機から信号を外部に発信し、該信号を利用して出産時期が近いことを人に知らせる出産予告の報知方法。
【請求項２】
報知の手段は無線式及び有線式の音や音声や光や文字やデータの他、パーソナルコンピュータや携帯電話を含み、報知の手段を問わない請求項１記載の出産予告の報知方法。
【請求項３】
水平方向の荷重によって作動する機構部及びリミットスイッチと、垂直方向の荷重によって作動する複数の機構部及びリミットスイッチと、液体や水分を検出するセンサと、無線信号を送信する発信機及びアンテナと、マイクロコンピュータ及び電子回路からなる制御部と、前述の全てを駆動する電池を備えて円筒状に一体化したものを検出器とし、該検出器が体外に放出された時の保持機構を持ち、さらに該検出器からの無線信号を受信して音や音声や光や文字やデータに変換する報知器を備えたことを特徴とする出産予告の報知装置。
【発明の詳細な説明】
【技術分野】
【０００１】
本発明は、家畜や動物の出産が近いことを報知する方法及びその装置に関するものである。
【背景技術】
【０００２】
家畜の出産を無事に行うことは家畜農家にとって死活問題である。このため出産時には人が立ち会って出産を助けたり、難産時には強制的に引出したりして出産を成功させている。この場合に重要なことは、出産が近いことを知らせる方法であり、一般的には監視カメラで家畜の状態を捉え、画像モニタを見て判断していた。出産の報知で重要な点は、報知のタイミングであり、早すぎる場合は長時間人が張り付くことになり、特に冬などは大変な重労働になる。反対に遅すぎる場合は既に出産が始まっている場合があり、介助が手遅れとなる場合がある。これまでに出産報知の自動化の方法や装置が開発されたりしたが、いずれも検出精度が悪いことと、ちょうど良いタイミングで人に報知することができないなどの他、報知する距離が限られ、例えば遠方に報知できない欠点があった。
【発明の開示】
【発明が解決しようとする課題】
【０００３】
本発明の課題は、出産時期を精度良く検知すること及び家畜小屋等の出産場所から離れた所（例えば事務所や居間など人が居る所）に出産予告を報知する方法及びその方法を使った装置の提供である。
【課題を解決するための手段】
【０００４】
第一の手段は、スイッチやセンサや送信機からなる検出器を設けたことである。第二の手段は、前記検出器を産道に挿入して出産兆候の検知をするようにしたことである。第三の手段は、前記検出器の出産予告無線信号を受信して信号変換し、有線方式又は無線方式の音声や音の出力や表示灯からなる報知器およびパーソナルコンピュータや携帯電話を設けたことである。
【発明の効果】
【０００５】
本発明により、家畜や動物の出産時期が自動的に報知できるようになるため、出産事故による経済的損失や長時間の出産現場への張り付きや緊張による人の肉体的・精神的負担が緩和される効果がある。
【発明を実施するための最良の形態】
【０００６】
家畜や動物の出産時期を精度良く検知し、家畜小屋等の出産場所から離れた所に出産予告を報知するという目的を、本発明により実現した。
【実施例１】
【０００７】
以下、本発明の実施例について図を参照して説述する。図１は、装置の運用一例を示す説明図である。１００は家畜、１０１は胎児、１０２は産道、１１０は検出器、１１１はアンテナ、１１２は保持具、  １２０は受信機、  １２１はチャイム、  １２２はパーソナルコンピュータ、１２３はモデム、１３０は携帯電話である。
【０００８】
出産予定になった家畜（例えば牛）の産道に１１０を挿入する。１１１の先端は体外に出す。１１０と繋がった１１２は尻尾の付け根に取付ける。１２０は１１０の無線信号を受信して表示ランプを点灯したり、報知音を鳴らす機能を持つ他、１２２に受信した信号やデータを伝送する。また１２０は１２１と接続しているため無線式や有線式のチャイム採用により特定の場所への報知器として利用できる。１２２は１２３と接続しているため電話回線を利用して１３０に報知することができるので、場所を限定することなく報知が可能である。今、出産が始まり１０１が産道に出ると１１０の先端にあるリミットスイッチを押すので、これを出産の兆候として出産予告信号とする。そうすると１１０内部の制御回路および送信機の働きにより１１１から出産予告信号が無線信号で発信される。この出産予告信号は出産前の破水時および１１０が産道から外に排出された時にも同様に発信される。（この説明は図２で行う）１２０で出産予告信号を受信すると１２０のランプが点灯する他、ブザー等で報知するので管理者が１２０の近くに居る場合は有効である。１２１を利用すると管理者が少し離れている場合の報知に役立つ。また、管理者が常に移動している場合には１３０を報知に利用すると居場所を限定することなく出産予告報知が可能である。
【０００９】
図２は、検出器の構造一例を示す説明図である。２０１は水平方向の可動部、２０２は２０１で作動するリミットスイッチ、２０３は垂直方向の可動部、２０４は２０３で作動するリミットスイッチ、２０５は液体検出センサ、２１０は電子回路基板、２１１は送信機、２１２は電池、２１３は電源スイッチ、２１４は表示用ＬＥＤである。
【００１０】
本発明の検出器１１０は必ず２０１を産道の奥にして挿入するので胎児が産道に出た時に、一番先に当たるのは２０１である。今、胎児のいずれかの部分（通常は前足の先）が２０１を押すと２０２が作動する。これによって２１０が作動して２１１からアンテナ１１１によって無線信号が発信される。２０５は液体センサであり、胎児が産道に出て２０１を押す前に破水した場合の検出を行う。この場合も同様に２１１の作動によって１１１から無線信号が発信される。また、１１０を産道に挿入した時は２０３が産道の圧力によって締め付けられ、よって２０４が作動している状態である。なお、２０３および２０４は１１０の周囲に複数持つ。そして胎児が２０１を押すことなく産道を出口に進んだ場合１１０が体外に放出されることになる。この場合に２０３は開放され、よって２０４は作動が解除される。この２０４の変化によって２１０および２１１が作動し、１１１から無線信号が発信される。以上述べた３種類の無線信号は識別が可能な信号のため、図１で説述した受信機１２０で信号の区別ができるようにしたので管理者は信号の種類によって出産の状態が概略把握できるため適切な処置が可能となる。２１３は検出器の電源スイッチであり、通常は産道に挿入するときにスイッチを入にする。２１４は２１３を入にした時に点灯するＬＥＤからなるランプである。
【００１１】
図３は、検出器の一例を説明するブロック図である。３００はマイクロコンピュータ、３０１は入出力インターフェース、３０２は出力部、３０３は液体センサ、３０４はリミットスイッチ、３０５は送信機、３０６はＩＤ設定器、３０７はアンテナ、３０８は電池である。
【００１２】
３０３および３０４は３０１を介して３００に接続している。３００は検出器の制御に必要な全てのシーケンスをプログラムで実行する。今、３０３又は３０４が作動すると３００は所定の処理をして３０２に信号を出し、３０２は３０５を作動させるための出力信号を出す。３０５に附属した３０６はＩＤ設定器であり、混信を防ぐための識別信号を設定するものである。このようにして３０７から識別信号が付いた無線信号が発信される。なお、３０８は駆動用電池である。
【００１３】
図４は、受信機の一例を説明するブロック図である。４０１は受信回路、４０２はアンテナ、４０３はＩＤ設定器、４０４は制御回路  ４０５は表示器、４０６は電子ブザー、４０７は外部機器との接続部  ４０８はパーソナルコンピュータとのインターフェース部、４１０はチャイム、４２０はパーソナルコンピュータである。
【００１４】
図３で説述した３０７より発信された無線信号は４０２で受信し、４０１に入るが図３で説述した３０６と同じ設定を４０３で設定した場合のみ４０１から受信信号が４０４に出力される。４０３は混信を防止するためのものである。４０４はマイクロコンピュータを含む電子回路からなり、受信機全体の制御を行うもので、４０１の信号を受けて、表示器４０５を点灯したり、電子ブザー４０６で報知音を出したりする他、４０７を制御して外部に有線式チャイムや無線式チャイムを接続できる。また４０８のインターフェースを介してパーソナルコンピュータと接続ができる。以上により、４１０、４２０を接続しない時は、単独の報知用受信機として働き、例えばパーソナルコンピュータ４２０を接続した時はパーソナルコンピュータと連動して働き、パーソナルコンピュータのネットワークを通じて遠方に出産報知情報を送ることもでき、また図１で説述したようにパーソナルコンピュータを介して携帯電話に出産報知情報を送ることができる。
【産業上の利用可能性】
【００１５】
以上説述したように本発明の方法および装置は、家畜や動物の出産時において出産時期の正確な情報を自動的に報知する機能を持つため、従来の経験による方法や監視カメラ依存の常時緊張した管理状態の業務を軽減する効果があり、出産報知に大変役立つものである。
【図面の簡単な説明】
【００１６】
【図１】装置の運用一例を示す説明図である。
【図２】検出器の構造一例を示す説明図である。
【図３】検出器の一例を説明するブロック図である。
【図４】受信機の一例を説明するブロック図である。
【符号の説明】
【００１７】
１００  家畜    １０１  胎児    １０２  産道    １１０  検出器    
１１１  アンテナ    １１２  保持具    １２０  受信機    １２１  チャイム
１２２  パーソナルコンピュータ    １２３  モデム    １３０  携帯電話
【００１８】
２０１  水平方向の可動部    ２０２  ２０１で作動するリミットスイッチ
２０３  垂直方向の可動部    ２０４  ２０３で作動するリミットスイッチ
２０５  液体検出センサ    ２１０  電子回路基板    ２１１  送信機
２１２  電池    ２１３  電源スイッチ    ２１４  表示用ＬＥＤ
【００１９】
３００  マイクロコンピュータ    ３０１  入出力インターフェース
３０２  出力部    ３０３  液体センサ    ３０４  リミットスイッチ
３０５  送信機    ３０６  ＩＤ設定器    ３０７  アンテナ    ３０８  電池
【００２０】
４０１  受信回路    ４０２  アンテナ    ４０３  ＩＤ設定器    
４０４  制御回路    ４０５  表示器    ４０６  電子ブザー
４０７  外部機器との接続部    
４０８  パーソナルコンピュータとのインターフェース部    
４１０  チャイム    ４２０  パーソナルコンピュータ
【図１】
2005261686.tif 000003
【図２】
2005261686.tif 000004
【図３】
2005261686.tif 000005
【図４】
2005261686.tif 000006